(57)【特許請求の範囲】
【請求項１】
複数の押圧部を有する略四角形のキーキャップ（２２）と、
前記キーキャップ（２２）の押圧により導通してキーボード命令を出力するトリガ部（４１）と、
前記キーキャップ（２２）の直下に配置されることにより前記キーキャップ（２２）の押圧力を前記トリガ部（４１）に伝えると共に前記キーキャップ（２２）が押圧されると前記キーキャップ（２２）に復元力を与える弾性スイッチ（５）と、を具備し、
前記弾性スイッチ（５）は、
前記キーキャップ（２２）の中央部に対応する部位に主運動支柱（５２２）を有すると共に、前記キーキャップ（２２）の両側角部に対応する部位に補助運動支柱（５３２）を有し、 
前記補助運動支柱は、前記主運動支柱（５２２）を取り囲むように配置されると共に
前記キーキャップ（２２）に対する垂直方向の押圧力を受ける押圧平面（５３３）と、前記キーキャップ（２２）の両側角部からの傾斜した押圧力を受けるための押圧斜面（５３４）と、を具備することを特徴とするキーボード。
【請求項２】
前記トリガ部（４１）は、前記主運動支柱（５２２）によって押圧される主トリガスイッチ（４１１）と、前記補助運動支柱（５３２）によって押圧される補助トリガスイッチ（４１２）と、を具備すると共に、
前記主トリガスイッチ（４１１）と前記補助トリガスイッチ（４１２）とは、補助命令配線によって電気的に接続されている
ことを特徴とする請求項１記載のキーボード。
【請求項３】
前記主運動支柱（５２２）の長さは前記補助運動支柱（５３３）の長さと同一であることを特徴とする請求項１又は請求項２記載のキーボード。
【請求項４】
前記主運動支柱（５２２）の長さは前記補助運動支柱（５３３）の長さよりも大きいことを特徴とする請求項１又は請求項２記載のキーボード。
【請求項５】
前記トリガ部（４１）は、命令回路基板（４）に設けられた配線パターンであって、前記命令回路基板（４）は、
上回路基板（４３）と、下回路基板（４４）と、両者の間に設けられた仕切り板（４５）と、を含み、
前記下回路基板及び前記上回路基板には、それぞれ、前記主トリガスイッチ及び前記補助トリガスイッチが設けられ、
前記仕切り板には、前記主トリガスイッチ又は前記補助トリガスイッチに対応する複数の貫通孔が設けられる
ことを特徴とする請求項１乃至請求項４のいずれか１項記載のキーボード。
【請求項６】
前記キーキャップ（２２）は支持フレーム（２１）に複数設けられていると共に、
前記支持フレーム（２１）は交差するように設けられた複数の支軸によって、前記キーキャップ（２２）を収容する複数の組付け穴に分割され、
前記支軸は前記キーキャップ（２２）の側面に面する複数の壁面を有し、
前記各側面と前記各壁面との間に可動ラックが４つ連結され、
射出成形により、前記可動ラックと前記キーキャップと前記支軸とが一体成形され、
前記各可動ラックは、前記角部のいずれかに結合される第１の結合部と、前記第１の結合部に結合されるとともに前記角部のいずれかから第１の屈折点を経由し別の前記角部に延出して別の前記支軸に結合される支持アーム部と、を有する
ことを特徴とする請求項１乃至請求項５のいずれか１項記載のキーボード。
【請求項７】
前記支持フレームは、交差するように設けられた複数の支軸によって、前記キーキャップ（２２）を収容する複数の組付け穴に分割され、
前記支軸は、前記キーキャップの側面に面する複数の壁面を有し、
前記各側面と前記各壁面との間に可動ラックが４つ連結され、
射出成形により、前記可動ラックと前記キーキャップと前記支軸とが一体成形され、
前記各可動ラックは、第１の結合部と、第２の結合部と、前記第１の結合部と前記第２の結合部とを結合する支持アーム部と、を有し、
前記第１の結合部は、前記角部のいずれかに結合され、
前記支持アーム部は、前記第１の結合部から第１の屈折点を経由して前記側面と前記支軸との間から別の前記角部に延出するとともに、別の前記角部から第２の屈折点を経由して前記支軸に結合されて前記第２の結合部が形成されることを特徴とする請求項１乃至請求項５のいずれか１項記載のキーボード。
【発明の詳細な説明】
【技術分野】
【０００１】
本発明は、キーボードに関し、特に、複数の押圧点を有する薄型軽量のキーボードに関する。
【背景技術】
【０００２】
ＩＴ技術の急速な発展に伴い、電子機器の普及が進んでいる。市販のコンピュータは、デスクトップコンピュータと、ノートブックコンピュータと、タブレットコンピュータとに分類される。文書処理速度を向上するため、ユーザのデータ入力操作を容易にするキーボードが利用される。キーボードは、キーキャップと、基板と、を有する構造であることが一般的である。キーキャップと基板との間にはキー柱が設けられる。ユーザがキーキャップを押圧すると、キーキャップが基板に対して垂直に変位するように、キー柱はキーキャップを支持する。これにより、キーキャップが押圧されると、基板に設けられたスイッチが作動され、基準信号がプロセッサーに送られて、プロセッサーが所望の出力信号を出力する。さらに、ユーザがキーキャップの中央部ではなく両側を押圧した場合に、キーキャップが傾いて不安定になりスイッチを作動できないといった問題を回避するため、高感度キーボードが開発された。これにより、ユーザがキーキャップの中央部を押圧せず、キーキャップの両側を押圧した場合でも、スイッチを作動させることが可能となった。
【０００３】
例えば、特許文献１の中華民国発明Ｉ３４６９６５号の「高感度キーボードの構造」がある。このようなキーボードは、キーキャップの外側に突出ユニットが複数設けられ、底板にカンチレバーが複数設けられる。ユーザがキーキャップの側面を押圧するときには、突出ユニットがカンチレバーに接触し、てこの原理によりカンチレバーの自由端がスイッチを作動させる。このように、ユーザがキーキャップの中央部を押圧せず、キーキャップの両側を押圧した場合でも、スイッチを作動させることができ、高感度を実現できる。
【０００４】
さらに、例えば、特許文献２の中華民国発明Ｉ３９６２１８号のキーボードがある。このようなキーボードは、キーキャップ上にトリガー部が複数設けられ、薄膜回路基板には、これらのトリガー部にそれぞれ対応するスイッチが複数設けられる。このように、ユーザがキーキャップのどの場所を押圧しても、トリガー部がスイッチと接触して、スイッチが作動状態となって信号を出力することができ、キーキャップの感度を向上させることができる。
【０００５】
上記のキーボードはいずれも、弾性を有する支持枠によってキーキャップを支持し、支持枠から突出する押圧部が回路基板に設けられたスイッチと接触する。さらに、上記のキーボードは、弾性を有する支持枠を備えるため、キーキャップの押圧部が支持枠を支点として相対的に回転する。しかし、支持枠を使用するキーボードは、小型化が困難であり、また、キーキャップが支持枠を支持するため、キーキャップに大きな力を加えないと支持枠を変形させて押圧部をスイッチに接触させることができない。このため、ユーザがキーキャップの角部を軽く押圧した場合には、スイッチを作動させることができない。
【先行技術文献】
【特許文献】
【０００６】
【特許文献１】中華民国発明Ｉ３４６９６５号公報
【特許文献２】中華民国発明Ｉ３９６２１８号公報
【発明の概要】
【発明が解決しようとする課題】
【０００７】
本発明の目的は、小型であり感度の良いキーボードを提供することにある。
【課題を解決するための手段】
【０００８】
本発明に係るキーボードによると、
底板と、複数のキーキャップが設けられた支持フレームから構成されたキーキャップユニットと、前記キーキャップユニットによって作動されてキーボード命令を出力する命令作動ユニットと、を備え、
前記命令作動ユニットは、命令回路基板と、複数の弾性スイッチと、を含み、
前記命令回路基板は、前記キーキャップの押圧部に対応するとともに前記キーキャップによって作動されてキーボード命令を出力する複数のトリガ部と、前記各トリガ部と電気的に接続する少なくとも一つの主命令配線と、を有し、
前記各トリガ部は、前記各キーキャップの中央部に対向する主トリガスイッチと、前記主トリガスイッチから所定距離だけ離隔する少なくとも２つの補助トリガスイッチと、を有し、
前記各補助トリガスイッチは、前記主トリガスイッチの両側にそれぞれ設けられた第１の補助トリガスイッチ及び第２の補助トリガスイッチを有し、
前記主トリガスイッチと前記補助トリガスイッチとの間には、前記主トリガスイッチと前記補助トリガスイッチとを電気的に接続する補助命令配線が少なくとも一つ設けられ、
前記複数の弾性スイッチは、前記キーキャップの押圧部に対応するとともに、前記キーキャップに押圧されることによって前記トリガ部を作動してキーボード命令を出力し、
前記各弾性スイッチは、ベースと、前記主トリガスイッチに対応するように前記ベースに設けられた主作動部と、前記第１の補助トリガスイッチに対応するように前記ベースに設けられた第１の補助作動部と、前記第２の補助トリガスイッチに対応するように前記ベースに設けられた第２の補助作動部と、を有することを特徴とする。
【０００９】
本発明に係るキーボードによると、
前記各キーキャップは、４つの側面と、前記側面のいずれかの２つが接触して構成される４つの角部と、を含み、
前記第１の補助トリガスイッチは、前記側面の２つに対応し、前記対応する側面と前記主トリガスイッチとの間に位置し、
前記第２の補助トリガスイッチは、前記第１の補助トリガスイッチの反対側に位置する別の前記側面に設けられ、前記別の側面と前記主トリガスイッチとの間に位置することを特徴とする。
【００１０】
本発明に係るキーボードによると、
前記各キーキャップは、４つの側面と、前記側面のいずれかの２つが接触して構成される４つの角部と、を含み、
前記第１の補助トリガスイッチは、前記角部の２つに対応し、前記対応する角部と前記主トリガスイッチとの間に位置し、
前記第２の補助トリガスイッチは、前記第１の補助トリガスイッチの反対側に位置する別の前記角部に設けられ、前記別の角部と前記主トリガスイッチとの間に位置することを特徴とする。
【００１１】
本発明に係るキーボードによると、前記主作動部は、前記キーキャップに押圧されると前記命令回路基板に向かって変位して前記主トリガスイッチを作動させる主運動支柱と、前記主運動支柱に結合されるとともに前記主運動支柱に復元力を与える主変形部と、を有し、前記第１の補助作動部は、前記キーキャップに押圧されると前記命令回路基板に向かって変位して前記第１の補助トリガスイッチを作動させる第１の補助運動支柱と、前記第１の補助運動支柱に結合されるとともに前記第１の補助運動支柱に復元力を与える第１の補助変形部と、を有し、前記第２の補助作動部は、前記キーキャップに押圧されると前記命令回路基板に向かって変位して前記第２の補助トリガスイッチを作動させる第２の補助運動支柱と、前記第２の補助運動支柱に結合されるとともに前記第２の補助運動支柱に復元力を与える第２の補助変形部と、を含むことを特徴とする。
【００１２】
本発明に係るキーボードによると、前記主作動部の長さは、前記第１の補助作動部及び前記第２の補助作動部の長さより大きいことを特徴とする。
【００１３】
本発明に係るキーボードによると、
前記第１の補助作動部は、前記各キーキャップに面する第１の押圧平面と、前記第１の押圧平面に結合されるとともに前記第１の補助運動支柱の前記主運動支柱から遠ざかった方の側部に設けられた第１の押圧斜面と、を有し、
前記第２の補助作動部は、前記各キーキャップに面する第２の押圧平面と、前記第２の押圧平面に結合されるとともに前記第２の補助運動支柱の前記主運動支柱から遠ざかった方の側部に設けられた第２の押圧斜面と、を有することを特徴とする。
【００１４】
本発明に係るキーボードによると、前記主作動部の長さは、前記第１の補助作動部及び前記第２の補助作動部の長さより大きいことを特徴とする。
【００１５】
本発明に係るキーボードによると、
前記命令回路基板は、下回路基板と、上回路基板と、前記下回路基板と前記上回路基板との間に設けられた仕切り板と、を有し、
前記下回路基板及び前記上回路基板には、前記主トリガスイッチ及び前記補助トリガスイッチがそれぞれ設けられ、
前記仕切り板には、前記主トリガスイッチ又は前記補助トリガスイッチに対応する複数の貫通孔が設けられることを特徴とする。
【００１６】
本発明に係るキーボードによると、
前記支持フレームは、交差するように設けられた複数の支軸によって、前記キーキャップを収容する複数の組付け穴に分割され、
前記各キーキャップは、４つの側面と、前記側面のいずれか２つが接触して構成される４つの角部と、を含み、
前記支軸は、前記側面に面する複数の壁面を有し、
前記各側面と前記各壁面との間に可動ラックが４つ連結され、
射出成形により、前記可動ラック、前記キーキャップ、及び前記支軸が一体成形され、
前記各可動ラックは、前記角部のいずれかに結合される第１の結合部と、前記第１の結合部に結合されるとともに前記角部のいずれかから第１の屈折点を経由し別の前記角部に延出して別の前記支軸に結合される支持アーム部と、を有することを特徴とする。
【００１７】
本発明に係るキーボードによると、
前記支持フレームは、交差するように設けられた複数の支軸によって、前記キーキャップを収容する複数の組付け穴に分割され、
前記各キーキャップは、４つの側面と、前記側面のいずれかの２つが接触して構成される４つの角部と、を含み、
前記支軸は、前記側面に面する複数の壁面を有し、
前記各側面と前記各壁面との間に可動ラックが４つ連結され、
射出成形により、前記可動ラック、前記キーキャップ、及び前記支軸が一体成形され、
前記各可動ラックは、第１の結合部と、第２の結合部と、前記第１の結合部と前記第２の結合部とを結合する支持アーム部と、を有し、
前記第１の結合部は、前記角部のいずれかに結合され、
前記支持アーム部は、前記第１の結合部から第１の屈折点を経由して前記側面と前記支軸との間から別の前記角部に延出するとともに、別の前記角部から第２の屈折点を経由して前記支軸に結合されて前記第２の結合部が形成されることを特徴とする。
【発明の効果】
【００１８】
本発明に係るキーボードによれば、次のような効果がある。
（１）キーキャップと弾性スイッチとによって、全体の体積を効果的に低減することが可能であり、キーボードを軽薄化することが可能である。
（２）弾性スイッチとトリガスイッチとを有するため、キーボードのいずれかの箇所を押圧しても、弾性スイッチによってトリガスイッチを導通することが可能である。これにより、押圧の感度を向上させることができる。
【図面の簡単な説明】
【００１９】
【図１】本発明の一実施形態に係るキーボードの構造を示す分解斜視図である。
【図２】本発明の一実施形態に係るキーボードの構造を別の視点から見た分解斜視図である。
【図３】本発明の一実施形態に係るキーボードを示す断面図である。
【図４】本発明の一実施形態に係る命令作動ユニットの構造を示す分解斜視図である。
【図５】本発明の一実施形態に係る弾性スイッチの第１の形態を示す断面図である。
【図６】本発明の一実施形態に係る弾性スイッチの第２の形態を示す断面図である。
【図７】本発明の一実施形態に係るキーキャップユニットの第１の形態の構造を示す図である。
【図８】本発明の一実施形態に係るキーキャップユニットの第１の形態の構造を示す図である。
【図９】本発明の一実施形態に係るキーキャップユニットの第１の形態の構造を示す図である。
【図１０】本発明の一実施形態に係るキーキャップユニットの第２の形態の構造を示す図である。
【発明を実施するための形態】
【００２０】
以下、本発明の実施形態を図面に基づいて説明する。
【００２１】
図１から図４を参照すると、本実施形態に係るキーボードは、底板１と、キーキャップユニット２と、命令作動ユニット３と、を少なくとも含む。命令作動ユニット３は、キーキャップユニット２によって作動され、キーボード命令を出力する。底板１は、キーキャップユニット２と、命令作動ユニット３と、を支持する。キーキャップユニット２は、支持フレーム２１と、支持フレーム２１に設けられた複数のキーキャップ２２と、を含む。各キーキャップ２２は、４つの側面２２１と、いずれか２つの側面２２１が接触して構成される４つの角部２２２と、を有する。
【００２２】
命令作動ユニット３は、命令回路基板４と、複数の弾性スイッチ５と、を含む。命令回路基板４は、キーキャップ２２の押圧部に対応するとともに、キーキャップ２２によって作動されてキーボード命令を出力する複数のトリガ部４１と、各トリガ部４１と電気的に接続する少なくとも一つの主命令配線４２と、を含む。各トリガ部４１は、各キーキャップ２２の中央部に対向する主トリガスイッチ４１１と、主トリガスイッチ４１１から所定間隔だけ離隔した少なくとも２つの補助トリガスイッチ４１２と、を含む。各補助トリガスイッチ４１２は、第１の補助トリガスイッチ４１３と、第２の補助トリガスイッチ４１４と、をそれぞれ備え、主トリガスイッチ４１１の両側にそれぞれ設けられる。すなわち、第１の補助トリガスイッチ４１３及び第２の補助トリガスイッチ４１４は、主トリガスイッチ４１１の両側にそれぞれ位置するため、主トリガスイッチ４１１が第１の補助トリガスイッチ４１３と第２の補助トリガスイッチ４１４との間に位置し、第１の補助トリガスイッチ４１３、主トリガスイッチ４１１、及び第２の補助トリガスイッチ４１４が一列に配列される。一方、主トリガスイッチ４１１と補助トリガスイッチ４１２との間には、これらを電気的に接続する補助命令配線４１５が少なくとも一つ設けられる。図３及び図４を参照すると、本実施形態では、命令回路基板４は、上回路基板４３と、下回路基板４４と、下回路基板４４と上回路基板４３との間に設けられた仕切り板４５と、を含む。上回路基板４３及び下回路基板４４には、主トリガスイッチ４１１及び補助トリガスイッチ４１２がそれぞれ設けられる。仕切り板４５は、主トリガスイッチ４１１又は補助トリガスイッチ４１２に対応するように設けられた複数の貫通孔４５１を有する。これにより、上回路基板４３と下回路基板４４とは、貫通孔４５１によって互いに導通してキーボード命令を出力するが、本発明はこれらに限定されない。本実施形態では、命令回路基板４が底板１の上方に設けられるため、下回路基板４４が底板１に向くように設けられるが、本発明はこれらに限定されない。また、命令回路基板４が底板１の下方に設け、上回路基板４３が底板１に向くように設けられてもよい。
【００２３】
本実施形態では、トリガ部４１の補助トリガスイッチ４１２の相対的位置について２つの実施の態様を有するが、本発明はこれらに限定されない。まず、本実施形態に係る補助トリガスイッチ４１２の第１の態様では、第１の補助トリガスイッチ４１３及び第２の補助トリガスイッチ４１４は、それぞれキーキャップ２２の側面２２１に対応するように設けられる。すなわち、第１の補助トリガスイッチ４１３は、２つの側面２２１に対応し、これに対応する側面２２１と主トリガスイッチ４１１との間に位置する。第２の補助トリガスイッチ４１４は、第１の補助トリガスイッチ４１３の反対側に位置する別の側面２２１に設けられ、別の側面２２１と主トリガスイッチ４１１との間に位置する。一方、本実施形態に係る補助トリガスイッチ４１２の第２の態様では、第１の補助トリガスイッチ４１３及び第２の補助トリガスイッチ４１４は、それぞれキーキャップ２２の角部２２２に対応するように設けられる。すなわち、第１の補助トリガスイッチ４１３は、２つの角部２２２に対応し、これに対応する角部２２２と主トリガスイッチ４１１との間に位置する。第２の補助トリガスイッチ４１４は、第１の補助トリガスイッチ４１３の反対側に位置する別の角部２２２に設けられ、別の角部２２２と主トリガスイッチ４１１との間に位置する。
【００２４】
また、本実施形態では、トリガ部４１における主トリガスイッチ４１１と補助トリガスイッチ４１２との電気的な接続方式について２つの実施の態様を有するが、本発明はこれらに限定されない。まず、本実施形態に係るトリガ部４１の電気的な接続方式の第１の態様では、主トリガスイッチ４１１と補助トリガスイッチ４１２との間の補助命令配線４１５が、図１及び図４に示すように、Ｍ字状のレイアウト方式によって互いを電気的に接続する。なお、本実施形態に係るトリガ部４１の電気的な接続方式の第２の態様では、主トリガスイッチ４１１と補助トリガスイッチ４１２との間の補助命令配線４１５が、図２に示すように、Ｘ字状とロ字状を結合したレイアウト方式によって互いを電気的に接続する。なお、本実施形態に係るトリガ部４１に対し、上記の２つの実施の態様を同時に適用しないことに留意すべきである。
【００２５】
図１から図４を参照すると、弾性スイッチ５は、一体成形されるか、又は複数の独立した部材から構成される。弾性スイッチ５は、キーキャップ２２の押圧部に対応し、キーキャップ２２に押圧されると、トリガ部４１が作動されてキーボード命令を出力する。各弾性スイッチ５は、ベース５１と、主作動部５２と、第１の補助作動部５３と、第２の補助作動部５４と、を含む。主作動部５２は、ベース５１に設けられ、主トリガスイッチ４１１に対応する。第１の補助作動部５３は、ベース５１に設けられ、第１の補助トリガスイッチ４１３に対応する。第２の補助作動部５４は、ベース５１に設けられ、第２の補助トリガスイッチ４１４に対応する。主作動部５２は、ベース５１に結合される主変形部５２１と、主変形部５２１に結合される主運動支柱５２２と、を含む。主作動部５２は、キーキャップ２２に押圧されて命令回路基板４に向かって変位し、主トリガスイッチ４１１を作動させる。主変形部５２１が主運動支柱５２２に復元力を与えることにより、主運動支柱５２２は押圧されていない本来の位置に戻される。第１の補助作動部５３は、ベース５１に結合される第１の補助変形部５３１と、第１の補助変形部５３１に結合される第１の補助運動支柱５３２と、を含む。第１の補助運動支柱５３２は、キーキャップ２２に押圧されて命令回路基板４に向かって変位し、第１の補助トリガスイッチ４１３を作動させる。第１の補助変形部５３１が第１の補助運動支柱５３２に復元力を与えることにより、第１の補助運動支柱５３２は、押圧されていない本来の位置に戻される。第２の補助作動部５３は、ベース５１に結合される第２の補助変形部５４１と、第２の補助変形部５４１に結合される第２の補助運動支柱５４２と、を含む。第２の補助運動支柱５４２は、キーキャップ２２に押圧されて命令回路基板４に向かって変位し、第２の補助トリガスイッチ４１４を作動させる。第２の補助変形部５４１が第２の補助運動支柱５４２に復元力を与えることにより、第２の補助運動支柱５４２は、押圧されていない本来の位置に戻される。具体的には、弾性スイッチ５を、所定の距離だけキーキャップ２２から離隔する。そして、主変形部５２１、第１の補助変形部５３１、及び第２の補助変形部５４１の厚さはベース５１の厚さより小さいため、主変形部５２１、第１の補助変形部５３１、及び第２の補助変形部５４１が各キーキャップ２２に押圧されると、主変形部５２１、第１の補助変形部５３１、及び第２の補助変形部５４１が変形して、主運動支柱５２２、第１の補助運動支柱５３２、及び第２の補助運動支柱５４２が命令回路基板４に向かって変位する。
【００２６】
図４を参照すると、第１の補助運動支柱５３２は、各キーキャップ２２に面する第１の押圧平面５３３と、第１の押圧平面５３３に結合されるとともに、第１の補助運動支柱５３２の主運動支柱５２２から遠ざかった方の側部に設けられた第１の押圧斜面５３４と、を含む。第２の補助運動支柱５４２は、各キーキャップ２２に面する第２の押圧平面５４３と、第２の押圧平面５４３に結合されるとともに、第２の補助運動支柱５４２の主運動支柱５２２から遠ざかった方の側部に設けられた第２の押圧斜面５４４と、を含む。第１の押圧斜面５３４及び第２の押圧斜面５４４を設ける目的は、第１の補助作動部５３及び第２の補助作動部５４とキーキャップ２２との接触面積をそれぞれ増加することにある。これにより、キーキャップ２２が第１の補助作動部５３又は第２の補助作動部５４に向かって傾斜した場合でも、キーキャップ２２が第１の補助運動支柱５３２の第１の押圧斜面５３４、又は第２の補助運動支柱５４２の第２の押圧斜面５４４と安定的に接触することが可能となる。
【００２７】
本実施形態では、弾性スイッチ５は２つの実施の態様を有する。まず、本実施形態に係る弾性スイッチ５の第１の態様では、図５に示すように、主作動部５２の長さが第１の補助作動部５３及び第２の補助作動部５４の長さと同じである。一方、本実施形態に係る弾性スイッチ５の第２の態様では、図６に示すように、主作動部５２の長さが第１の補助作動部５３及び第２の補助作動部５４の長さより大きい。
【００２８】
図７から図９を参照すると、本実施形態に係るキーキャップユニット２は２つの実施の態様を有する。本実施形態に係るキーキャップユニット２の第１の態様では、支持フレーム２１は、交差するように設けられた複数の支軸２１１によって、キーキャップ２２を収容する複数の組付け穴２１２に分割される。支軸２１１は、側面２２１に面する複数の壁面２１３を有する。各側面２２１と各壁面２１３との間に可動ラック２３が４つ連結されている。射出成形により、可動ラック２３、キーキャップ２２、及び支軸２１１が一体成形される。各可動ラック２３は、いずれかの角部２２２に結合される第１の結合部２３１と、第１の結合部２３１に結合されるとともに、いずれかの角部２２２から第１の屈折点２３２を経由して別の角部２２２に延出して結合される支持アーム部２３３と、を有するが、本発明はこれらに限定されない。支持アーム部２３３は、図７に示すように、壁面２１３に平行に延出する。支持アーム部２３３は、図８及び図９に示すように、傾斜度Ｃで壁面２１３に傾斜するように延出する。
【００２９】
図１０を参照すると、本実施形態に係るキーキャップユニット２の第２の態様では、支持フレーム２１が、交差するように設けられた複数の支軸２１１により、キーキャップ２２を収容する複数の組付け穴２１２に分割される。支軸２１１は、側面２２１に面する複数の壁面２１３を有する。各側面２２１と各壁面２１３との間に可動ラック２４が４つ連結されている。射出成形により、可動ラック２４、キーキャップ２２、及び支軸２１１が一体成形される。各可動ラック２４は、第１の結合部２４１と、第２の結合部２４２と、第１の結合部２４１と第２の結合部２４２とを結合される支持アーム部２４３と、を有する。第１の結合部２４１はいずれかの角部２２２に結合される。支持アーム部２４３は、第１の結合部２４１から、第１の屈折点２４４を経由して、側面２２１と支軸２１１との間から別の角部２２２に延出するが、本発明はこれらに限定されない。支持アーム部２４３は壁面２１３に平行に延出するが、本発明はこれらに限定されない。
【００３０】
本実施形態に係る複数の押圧部を有するキーボードの作動原理をより明確に説明するために、図３、図４及び図７を参照して、キーキャップユニット２の第１の態様を例にして説明する。ユーザがキーキャップ２２を押圧すると、キーキャップ２２及び可動ラック２３の支持アーム部２３３が弾性スイッチ５に向かって同時に変位し、その後、キーキャップ２２が弾性スイッチ５の主作動部５２、第１の補助作動部５３、及び第２の補助作動部５４を押圧する。このとき、主作動部５２、第１の補助作動部５３、及び第２の補助作動部５４が押圧されて、主変形部５２１、第１の補助変形部５３１及び第２の補助変形部５４１が変形すると、主運動支柱５２２、第１の補助運動支柱５３２、及び第２の補助運動支柱５４２が命令回路基板４に向かって同時に変位し、その後、主運動支柱５２２、第１の補助運動支柱５３２、及び第２の補助運動支柱５４２が、主トリガスイッチ４１１、第１の補助トリガスイッチ４１３、又は第２の補助トリガスイッチ４１４を作動させキーボード命令を出力する。ここで、ユーザがキーキャップ２２の隅だけを押圧すると、キーキャップ２２が第１の補助作動部５３又は第２の補助作動部５４を押圧し、その後、第１の補助運動支柱５３２又は第２の補助運動支柱５４２が、第１の補助トリガスイッチ４１３もしくは第２の補助トリガスイッチ４１４を作動させ、あるいは、第１の補助運動支柱５３２及び第２の補助運動支柱５４２が、第１の補助トリガスイッチ４１３及び第２の補助トリガスイッチ４１４を同時に作動させる。
【００３１】
以上説明したように、本実施形態に係るキーボードによれば、小型化、軽薄化が可能であり、さらに、押圧に対する感度を向上させることができる。
【産業上の利用可能性】
【００３２】
本発明は、キーボードに適用することができる。
【符号の説明】
【００３３】
１  底板
２  キーキャップユニット
３  命令作動ユニット
４  命令回路基板
５  弾性スイッチ
２１  支持フレーム
２２  キーキャップ
２３、２４  可動ラック
４１  トリガ部
４２  主命令配線
４３  上回路基板
４４  下回路基板
４５  仕切り板
５１  ベース
５２  主作動部
５３  第１の補助作動部
５４  第２の補助作動部
２１１  支軸
２１２  組付け穴
２１３  壁面
２２１  側面
２２２  角部
２３１、２４１  第１の結合部
２３２、２４４  第１の屈折点
２３３、２４３  支持アーム部
２４２  第２の結合部
２４５  第２の屈折点
４１１  主トリガスイッチ
４１２  補助トリガスイッチ
４１３  第１の補助トリガスイッチ
４１４  第２の補助トリガスイッチ
４１５  補助命令配線
４５１  貫通孔
５２１  主変形部
５２２  主運動支柱
５３１  第１の補助変形部
５３２  第１の補助運動支柱
５３３  第１の押圧平面
５３４  第１の押圧斜面
５４１  第２の補助変形部
５４２  第２の補助運動支柱
５４３  第２の押圧平面
５４４  第１の押圧斜面
Ｃ  傾斜度
【図１】
0006030192.tif 000002
【図２】
0006030192.tif 000003
【図３】
0006030192.tif 000004
【図４】
0006030192.tif 000005
【図５】
0006030192.tif 000006
【図６】
0006030192.tif 000007
【図７】
0006030192.tif 000008
【図８】
0006030192.tif 000009
【図９】
0006030192.tif 000010
【図１０】
0006030192.tif 000011